【手続補正書】
【提出日】平成24年12月18日(2012.12.18)
【手続補正１】
【補正対象書類名】明細書
【補正対象項目名】０００９
【補正方法】変更
【補正の内容】
【０００９】
上記目的を達成するために、本発明の第１の観点に係る再生装置は、
データを再生する再生装置であって、
操作コマンドを入力する操作入力部と、
複数の再生装置のうちの他の再生装置と、通信ネットワークを介して接続する通信部と、
データを再生する再生部と、
前記再生装置を制御する制御部と、を備え、
前記制御部は、前記複数の再生装置各々で協調して再生される前記データを指定した操作コマンドが前記操作入力部に入力されると、指定された前記データを協調して再生させるための協調再生コマンドを、前記通信部を介して前記他の再生装置に送信し、
指定された再生対象である前記データを取得し、取得した前記データを前記再生部に再生させ、
前記制御部は、前記複数の再生装置各々で協調して再生される前記データの再生状態の調整情報を含む操作コマンドが前記操作入力部に入力されると、前記調整情報を含み、前記データの再生状態を協調して調整するための協調調整コマンドを、前記通信部を介して前記他の再生装置に送信し、
前記調整情報に従って、前記再生部における前記データの再生状態を調整する、
ことを特徴とする。
【手続補正２】
【補正対象書類名】明細書
【補正対象項目名】００１１
【補正方法】変更
【補正の内容】
【００１１】
本発明の第３の観点に係るプログラムは、
操作コマンドを入力する操作入力部と、
複数の再生装置のうちの他の再生装置と、通信ネットワークを介して接続する通信部と、
データを再生する再生部と、
を備える再生装置を制御するコンピュータに実行させるプログラムであって、
前記コンピュータを、
前記複数の再生装置各々で協調して再生される前記データを指定した操作コマンドが前記操作入力部に入力されると、指定された前記データを協調して再生させるための協調再生コマンドを、前記通信部を介して前記他の再生装置に送信する送信手段と、
指定された再生対象である前記データを取得する取得手段と、
取得した前記データを前記再生部に再生させる再生手段と、
前記複数の再生装置各々で協調して再生される前記データの再生状態の調整情報を含む操作コマンドが前記操作入力部に入力されると、前記調整情報を含み、前記データの再生状態を協調して調整するための協調調整コマンドを、前記通信部を介して前記他の再生装置に送信する第２の送信手段と、
前記調整情報に従って、前記再生部における前記データの再生状態を調整する調整手段と、
して機能させる。
【手続補正３】
【補正対象書類名】特許請求の範囲
【補正対象項目名】全文
【補正方法】変更
【補正の内容】
【特許請求の範囲】
【請求項１】
データを再生する再生装置であって、
操作コマンドを入力する操作入力部と、
複数の再生装置のうちの他の再生装置と、通信ネットワークを介して接続する通信部と、
データを再生する再生部と、
前記再生装置を制御する制御部と、を備え、
前記制御部は、前記複数の再生装置各々で協調して再生される前記データを指定した操作コマンドが前記操作入力部に入力されると、指定された前記データを協調して再生させるための協調再生コマンドを、前記通信部を介して前記他の再生装置に送信し、
指定された再生対象である前記データを取得し、取得した前記データを前記再生部に再生させ、
前記制御部は、前記複数の再生装置各々で協調して再生される前記データの再生状態の調整情報を含む操作コマンドが前記操作入力部に入力されると、前記調整情報を含み、前記データの再生状態を協調して調整するための協調調整コマンドを、前記通信部を介して前記他の再生装置に送信し、
前記調整情報に従って、前記再生部における前記データの再生状態を調整する、
ことを特徴とする再生装置。
【請求項２】
前記制御部は、
前記通信部を介して、前記協調再生コマンドを受信すると、
前記協調再生コマンドに基づいて、再生対象である前記データを取得し、取得した前記データを前記再生部に再生させる、
ことを特徴とする請求項１に記載の再生装置。
【請求項３】
前記通信部は、
前記通信ネットワークを介して、前記データを蓄積するサーバと接続し、
前記制御部は、
前記協調再生コマンドに基づいて、再生対象である前記データを前記サーバから取得する、
ことを特徴とする請求項１又は２に記載の再生装置。
【請求項４】
前記制御部は、
前記協調再生コマンドに基づいて、再生対象である前記データを前記他の再生装置から前記通信部を介して取得する、
ことを特徴とする請求項１乃至３のいずれか一項に記載の再生装置。
【請求項５】
前記データを記憶する記憶部をさらに備え、
前記制御部は、
再生対象である前記データに、前記記憶部に記憶された前記データが含まれている場合に、
前記記憶部に記憶された前記データを、前記通信部を介して、前記他の再生装置に送信し、
前記記憶部に記憶された前記データを含む再生対象の前記データを前記再生部に再生させる、
ことを特徴とする請求項１乃至４のいずれか一項に記載の再生装置。
【請求項６】
前記制御部は、
前記通信部を介して、前記協調調整コマンドを受信すると、
前記協調調整コマンドに含まれる前記調整情報に従って、前記再生部における前記データの再生状態を調整する、
ことを特徴とする１乃至５のいずれか一項に記載の再生装置。
【請求項７】
前記協調再生コマンドの再生対象には、複数の前記データが含まれ、
前記協調調整コマンドには、再生対象となっている複数の前記データのうちの少なくとも一部の前記データの前記調整情報が含まれており、
前記制御部は、
前記調整情報に係る前記データの再生状態を調整する、
ことを特徴とする請求項６に記載の再生装置。
【請求項８】
前記データは、画像データ又は音声データであり、
前記再生部は、画像を表示する表示部又は音声を再生する音声再生部である、
ことを特徴とする請求項１乃至７のいずれか一項に記載の再生装置。
【請求項９】
互いに通信ネットワークを介して接続された請求項１乃至８のいずれか一項に記載の再生装置を複数備える再生システム。
【請求項１０】
前記通信ネットワークに接続された前記再生装置によって再生される前記データを蓄積するサーバをさらに備える、
ことを特徴とする請求項９に記載の再生システム。
【請求項１１】
操作コマンドを入力する操作入力部と、
複数の再生装置のうちの他の再生装置と、通信ネットワークを介して接続する通信部と、
データを再生する再生部と、
を備える再生装置を制御するコンピュータに実行させるプログラムであって、
前記コンピュータを、
前記複数の再生装置各々で協調して再生される前記データを指定した操作コマンドが前記操作入力部に入力されると、指定された前記データを協調して再生させるための協調再生コマンドを、前記通信部を介して前記他の再生装置に送信する送信手段と、
指定された再生対象である前記データを取得する取得手段と、
取得した前記データを前記再生部に再生させる再生手段と、
前記複数の再生装置各々で協調して再生される前記データの再生状態の調整情報を含む操作コマンドが前記操作入力部に入力されると、前記調整情報を含み、前記データの再生状態を協調して調整するための協調調整コマンドを、前記通信部を介して前記他の再生装置に送信する第２の送信手段と、
前記調整情報に従って、前記再生部における前記データの再生状態を調整する調整手段と、
して機能させるプログラム。